(57)【要約】  仕切壁に対応する領域に新たな接触部が設けられたカードの装着に対応しつつ、当該接触部が設けられていないカードが挿入された場合にも新たな接触部用のコンタクト端子が損傷するのを防止すること。複数の接触部と当該複数の接触部間に仕切壁とを有する第１カード及び装着完了時に、第１カードの装着完了時に当該第１カードの仕切壁が配置される領域にも接触部を有する第２カードを選択的に装着可能なハウジング（２）と、第１カードの接触部に対応するコンタクト端子（２０４）と、第２カードの接触部に対応するコンタクト端子（２０５）と、コンタクト端子（２０５）を押し下げる押下げ部材（２０６）とを備え、押下げ部材（２０６）は、第１カードの仕切壁と当接する当接部を備え、第１カードの装着時に押下げ部材（２０６）の当接部と第１カードの仕切壁とが当接することでコンタクト端子（２０５）が押下げられることを特徴とする。
2010010808.tif 000002
【特許請求の範囲】
【請求項１】
複数の接触部と当該複数の接触部間に仕切壁とを有する第１カード及び装着完了時に、前記第１カードの装着完了時に当該第１カードの仕切壁が配置される領域にも接触部を有する第２カードを選択的に装着可能なハウジングと、前記第１カードの接触部に対応する第１コンタクト端子と、前記第２カードの接触部に対応する第２コンタクト端子と、前記第２コンタクト端子を押し下げる押下げ部材とを備え、
前記押下げ部材は、前記第１カードの仕切壁と当接する当接部を備え、前記第１カードの装着時に前記押下げ部材の当接部と前記第１カードの仕切壁とが当接することで前記第２コンタクト端子が押下げられることを特徴とするカード用コネクタ。
【請求項２】
前記押下げ部材の当接部は、前記第１カードの仕切壁の幅方向の寸法よりも大きい寸法を有することを特徴とする請求項１記載のカード用コネクタ。
【請求項３】
前記押下げ部材に前記第２コンタクト端子の一部を収容する溝部を設けたことを特徴とする請求項１記載のカード用コネクタ。
【請求項４】
前記第１カードの仕切壁には斜面部が設けられ、前記押下げ部材の当接部には前記第１カードの仕切壁の斜面部に対応する斜面部が設けられることを特徴とする請求項１記載のカード用コネクタ。
【請求項５】
前記第１カードの装着を検出する検出手段を備え、前記検出手段は、前記押下げ部材により操作されるように配設されていることを特徴とする請求項１記載のカード用コネクタ。
【請求項６】
前記第２カードの接触部は、前記カードの前端側から後端側にかけて前記第１カードの接触部と略同一の長さで並設されていることを特徴とする請求項１記載のカード用コネクタ。
【発明の詳細な説明】
【技術分野】
【０００１】
本発明は、カード用コネクタに関し、特に、携帯電話機等の電子機器においてチップカードやＩＣメモリカード等のカードを基板に電気的に接続するためのカード用コネクタに関する。
【背景技術】
【０００２】
従来、データ転送速度の向上を図る目的で、従来のカードが有する接触部の仕切壁の部分に新たな接触部が設けられたカードに対応するカード用コネクタが提案されている（例えば、特許文献１参照）。このカード用コネクタにおいては、従来のカードが挿入された場合、当該カードの仕切壁により新たな接触部用のコンタクト端子を押し下げることで、このコンタクト端子の破損を防止している。
【先行技術文献】
【特許文献】
【０００３】
【特許文献１】特開２００６−７９１８５号公報
【発明の概要】
【発明が解決しようとする課題】
【０００４】
しかしながら、上述したような従来のカード用コネクタにおいては、カードの仕切壁により新たな接触部用のコンタクト端子を押し下げる構成を採ることから、カードの装着状況により両者が相対的に対向しない位置に配置された場合には、適切にコンタクト端子を押し下げることができず、コンタクト端子を破損させる事態が発生し得るという問題がある。【０００５】
本発明はかかる問題点に鑑みて為されたものであり、仕切壁に対応する領域に新たな接触部が設けられたカードの装着に対応しつつ、当該接触部が設けられていないカードが挿入された場合にも新たな接触部用のコンタクト端子が損傷するのを防止することができるカード用コネクタを提供することを目的とする。
【課題を解決するための手段】
【０００６】
本発明のカード用コネクタは、複数の接触部と当該複数の接触部間に仕切壁とを有する第１カード及び装着完了時に、前記第１カードの装着完了時に当該第１カードの仕切壁が配置される領域にも接触部を有する第２カードを選択的に装着可能なハウジングと、前記第１カードの接触部に対応する第１コンタクト端子と、前記第２カードの接触部に対応する第２コンタクト端子と、前記第２コンタクト端子を押し下げる押下げ部材とを備え、前記押下げ部材は、前記第１カードの仕切壁と当接する当接部を備え、前記第１カードの装着時に前記押下げ部材の当接部と前記第１カードの仕切壁とが当接することで前記第２コンタクト端子が押下げられることを特徴とする。【０００７】
上記カード用コネクタによれば、第１カードの装着時に押下げ部材の当接部が第１カードの仕切壁に当接することで第２コンタクト端子が確実に押下げられることから、仕切壁に対応する領域に新たな接触部が設けられた第２カードの装着に対応しつつ、当該接触部が設けられていない第１カードが挿入された場合にも、新たな接触部用の第２コンタクト端子が損傷するのを防止することが可能となる。【０００８】
上記カード用コネクタにおいて、前記押下げ部材の当接部は、前記第１カードの仕切壁の幅方向の寸法よりも大きい寸法を有することが好ましい。この場合には、仕切壁の幅方向の寸法より大きい寸法を有する当接部によって第２コンタクト端子を押下げることから、第２コンタクト端子を確実に押下げることができるので、仕切壁で第２コンタクト端子を押下げる場合に発生し得る第２コンタクト端子の損傷を効果的に防止することが可能となる。【０００９】
特に、上記カード用コネクタにおいては、前記押下げ部材に前記第２コンタクト端子の一部を収容する溝部を設けることが好ましい。この場合には、押下げ部材に設けた溝部により第２コンタクト端子の一部が収容されることから、第２コンタクト端子の位置ずれを防止して確実に第２コンタクト端子を押下げることが可能となる。【００１０】
また、上記カード用コネクタにおいて、前記第１カードの仕切壁には斜面部が設けられ、前記押下げ部材の当接部には前記第１カードの仕切壁の斜面部に対応する斜面部が設けられることが好ましい。この場合には、当接部の形状を、仕切壁に対応する形状としていることから、仕切壁との当接により確実且つ簡単に押下げ部材を押し下げることが可能となる。【００１１】
さらに、上記カード用コネクタにおいては、前記第１カードの装着を検出する検出手段を備え、前記検出手段は、前記押下げ部材により操作されるように配設されていることが好ましい。この場合には、第１カードの装着に伴って動作する押下げ部材により検出手段が操作されることから、第１カードの装着と連動して確実に第１カードの装着を検出することが可能となる。【００１２】
さらに、上記カード用コネクタにおいては、前記第２カードの接触部は、前記カードの前端側から後端側にかけて前記第１カードの接触部と略同一の長さで並設されていることが好ましい。上述した従来のカード用コネクタのように、第２カードの接触部が第１カードの接触部の途中から形成される場合には、カードの挿入時に不要な接触が発生し得るため、当該接触への対応が必要となる。このように第２カードの接触部を、カードの前端側から後端側にかけて第１カードの接触部と略同一の長さで形成する場合には、このような不要な接触を回避することができるので、当該接触への対応が必要なく、より簡易な構成でカード用コネクタを実現することが可能となる。
【発明の効果】
【００１３】
本発明によれば、第１カードの装着時に押下げ部材の当接部が第１カードの仕切壁に当接することで第２コンタクト端子が確実に押下げられることから、仕切壁に対応する領域に新たな接触部が設けられた第２カードの装着に対応しつつ、当該接触部が設けられていない第１カードが挿入された場合にも、新たな接触部用の第２コンタクト端子が損傷するのを防止することが可能となる。
【図面の簡単な説明】
【００１４】
【図１】本発明の一実施の形態に係るコネクタに装着される第１カード、第２カードの下面図である。
【図２】上記実施の形態に係るコネクタの構成を示す斜視図である。
【図３】上記実施の形態に係るコネクタの構成を示す上面図である。
【図４】図２に示すコネクタから押下げ部材を取り除いた斜視図である。
【図５】図３に示すコネクタから押下げ部材を取り除いた上面図である。
【図６】上記実施の形態に係るコネクタが有する押下げ部材の拡大図である。
【図７】上記実施の形態に係るコネクタが有する押下げ部材の拡大図である。
【図８】上記実施の形態に係るコネクタの側断面図である。
【図９】上記実施の形態に係るコネクタの側断面図である。
【発明を実施するための形態】
【００１５】
以下、本発明の一実施の形態について添付図面を参照して詳細に説明する。なお、本実施の形態に係るカード用コネクタ（以下、単に「コネクタ」という）１においては、その先端部に複数の接触部が並設されると共に、その接触部の間に仕切壁が設けられたカード（以下、「第１カード」という）Ａと、第１カードＡにおける仕切壁に対応する領域に新たに接触部が設けられたカード（以下、「第２カード」という）Ｂとを選択的に装着可能に構成されている。
【００１６】
ここで、本実施の形態に係るコネクタ１について説明する前に、これに装着される第１カードＡ、第２カードＢの構成について説明する。図１は、それぞれ本実施の形態に係るコネクタ１に装着される第１カードＡ、第２カードＢの下面図である。図１（ａ）においては、第１カードＡの下面を示し、同図（ｂ）においては、第２カードＢの下面を示している。なお、図１においては、同図に示す上方側が挿入方向であるものとする。
【００１７】
第１カードＡ、第２カードＢは、データの書き換えが可能なメモリチップを内蔵し、本実施の形態に係るコネクタ１に装着された状態において、このメモリチップにデータを書き込むことや、メモリチップからデータを読み出すことができるように構成されている。なお、これらの第１カードＡ、第２カードＢは、挿入方向の先端部近傍の構成が相違する点を除き、略同一の形状を有している。
【００１８】
第１カードＡは、平板形状を有しており、その挿入方向の先端部近傍に、外部装置との間でデータ信号や制御信号、電源などを授受するための複数の接触部１０１が並設されている。これらの接触部１０１は、第１カードＡの下面に、厚さ方向に形成された複数の凹部１０２内に配置されている。これらの凹部１０２の間には、仕切壁１０３が設けられている。これらの仕切壁１０３は、第１カードＡの下面と同一平面上で挿入方向の先端部まで延在し、その先端部にテーパ面を構成する斜面部１０４が形成されている。
【００１９】
第２カードＢは、第１カードＡにおける特定の仕切壁１０３の領域に、接触部１０５が追加して設けられている点で第１カードＡと相違する。より具体的には、第２カードＢは、コネクタ１に装着された場合に、第１カードＡがコネクタ１に装着された場合に特定の仕切壁１０３が配置される領域にも接触部１０５を有している。これらの接触部１０５は、メモリチップに対するデータの書き込み速度や読み出し速度の向上に寄与するものである。接触部１０５は、隣接する接触部１０１の間に配置され、第２カードＢの挿入方向において、接触部１０１と略同一の長さに形成されている。なお、接触部１０５の幅は、接触部１０１よりも僅かに狭幅に設けられている。第２カードＢの凹部１０２には、２つの接触部１０１と、これらの間に設けられる接触部１０５とが配置されている（図１（ｂ）に示す最も右方側、左方側の凹部１０２を除く）。
【００２０】
図２及び図３は、本実施の形態に係るコネクタ１の構成を示す斜視図及び上面図である。なお、図２及び図３に示すコネクタ１においては、ハウジングの上方側に取り付けられるカバーを省略している。以下においては、適宜、コネクタ１における図２及び図３に示す紙面上方側を「コネクタ１の後方側」又は単に「後方側」と呼び、同図に示す紙面下方側を「コネクタ１の前方側」又は単に「前方側」と呼ぶものとする。
【００２１】
図２及び図３に示すように、本実施の形態に係るコネクタ１は、合成樹脂材料などの絶縁材料を成形して形成されるハウジング２を備えている。ハウジング２は、概して偏平な直方体形状を有しており、その上方側及び後方側に開口した空間を有している。図２及び図３で省略されているカバーは、金属薄板材料に打ち抜き加工及び折り曲げ加工などを施して形成され、ハウジング２の上方側の開口部の一部に対応する形状を有している。このカバーがハウジング２に取り付けられることで、コネクタ１の前方側にカード挿入口が形成されると共に、ハウジング２内に第１カードＡ、第２カードＢが装着可能な空間が形成される。
【００２２】
ハウジング２は、コネクタ１の底面部を構成するベース部２０１と、コネクタ１の側端部において、このベース部２０１から上方側に垂直に立設された側壁部２０２ａ、ｂとを有している。ベース部２０１には、コネクタ１の前後に２つの開口部２０３ａ、ｂが形成されている。これらの開口部２０３ａ、ｂに対応する位置に、コネクタ１に装着される第１カードＡ、第２カードＢの接触部１０１に接触する複数のコンタクト端子２０４がコネクタ１の左右方向に並設されている。また、これらのコンタクト端子２０４の間に、コネクタ１に装着される第２カードＢの接触部１０５に接触する複数のコンタクト端子２０５が設けられている。コンタクト端子２０４、２０５は、カードＢの接触部１０１、１０５の配列に対応するように配列されている（図３参照）。コンタクト端子２０４は、第１カードＡ及び第２カードＢの接触部１０１に対応する第１コンタクト端子として機能し、コンタクト端子２０５は、第２カードＢの接触部１０５に対応する第２コンタクト端子として機能する。
【００２３】
これらのコンタクト端子２０４、２０５は、細長い薄板金属で形成されており、ベース部２０１にインサート成形等により埋設されている。コンタクト端子２０４、２０５の後方側端部は、開口部２０３ａから露出すると共に上方側に持ち上げられ、その端部近傍が第１カードＡ、第２カードＢの接触部１０１、１０５にそれぞれ弾性的に接触するように構成されている。一方、コンタクト端子２０４、２０５の前方側端部は、開口部２０３ｂから露出すると共に、僅かに下方側に折り曲げられ、不図示の基板の導体に半田接続可能に構成されている。
【００２４】
また、ベース部２０１には、開口部２０３ａの僅かに前方側の位置に、合成樹脂材料などの絶縁材料を成形して形成される押下げ部材２０６が取り付けられている。この押下げ部材２０６は、前方側端部でコネクタ１の側方側に突出形成された軸部２０６ｃを有し、この軸部２０６ｃを回動支点としてその後方側端部を一定範囲で揺動可能に構成されている。押下げ部材２０６は、第１カードＡの挿入に伴って第２コンタクト端子２０５を押し下げる役割を果たすものである。また、押下げ部材２０６は、第１カードＡの装着を検出する検出手段の一部である可動接点ばね（後述）を保持する。なお、この押下げ部材２０６の構成については後述する。
【００２５】
さらに、ベース部２０１には、開口部２０３ａの左方側であって、押下げ部材２０６の左方側端部と対向する位置に、検出手段の一部を構成する固定接点２０７が設けられている。図４及び図５は、図２及び図３に示すコネクタ１から押下げ部材２０６を取り除いた斜視図及び上面図である。図４及び図５に示すように、固定接点２０７は、コネクタ１の後方側端部に設けられた第１固定接点２０７ａと、この第１固定接点２０７ａから僅かに前方側に離間した位置に設けられた第２固定接点２０７ｂとから構成される。これらの第１固定接点２０７ａ、第２固定接点２０７ｂは、インサート成形等によりベース部２０１に埋設されている。第１固定接点２０７ａ、第２固定接点２０７ｂの端部は、コネクタ１の後方側に導出され、外部に第１カードＡの検出信号を出力可能に構成されている。
【００２６】
ここで、本実施の形態に係るコネクタ１が有する押下げ部材２０６の構成について説明する。図６及び図７は、本実施の形態に係るコネクタ１が有する押下げ部材２０６の拡大図である。図６（ａ）〜（ｃ）は、それぞれ押下げ部材２０６の上面図、下面図及び正面図である。図７（ａ）は、押下げ部材１０６の側面図を示し、同図（ｂ）は、図６（ａ）に示す破線Ａにおける側断面図を示している。
【００２７】
図６に示すように、押下げ部材２０６は、コネクタ１の側方側に延在する基部２０６ａと、この基部２０６ａからコネクタ１の後方側に延出する複数の当接部２０６ｂとを有している。基部２０６ａの側方側端部には、軸部２０６ｃが設けられている。また、基部２０６ａの下面には、コンタクト端子２０４、２０５を収容する溝部２０６ｄが形成されている。基部２０６ａは、軸部２０６ｃでコネクタ１のベース部２０１に支持されると共に、溝部２０６ｄでコンタクト端子２０４、２０５の一部を収容した状態でコンタクト端子２０４、２０５により下方側から支持される（図２参照）。
【００２８】
当接部２０６ｂは、第１カードＡが挿入された場合にその仕切壁１０３と当接する部分である。なお、当接部２０６ｂは、第２カードＢの接触部１０５に対応する位置に配置されているため、第２カードＢが挿入された場合には、仕切壁１０３と当接することはない。当接部２０６ｂは、第１カードＡの仕切壁１０３の幅方向の寸法よりも大きい寸法を有している。また、当接部２０６ｂの上面には、第１カードＡ、第２カードＢの仕切壁１０３に形成された斜面部１０４と対応する傾斜を有する斜面部２０６ｅが設けられている。また、当接部２０６ｂの下面には、基部２０６ａに形成された溝部２０６ｄが延設されている（図７（ｂ）参照）。
【００２９】
最も左方側に設けられた当接部２０６ｂの側方には、検出手段の一部を構成する可動接点ばね２０６ｆを保持するばね保持部２０６ｇが設けられている。ばね保持部２０６ｇは、可動接点ばね２０６ｆを収容する収容部２０６ｈを有すると共に、この収容部２０６ｈ内で可動接点ばね２０６ｆの曲げ部を支持する支持軸２０６ｉを有している（図７（ａ）参照）。
【００３０】
可動接点ばね２０６ｆは、図７（ａ）に示すように、ばね保持部２０６ｇに保持された状態において、コネクタ１の前後方向に延出する一対の脚部２０６ｊ、２０６ｋを有している。第１カードＡの挿入に伴って押下げ部材２０６が回動すると、これらの脚部２０６ｊ、２０６ｋがベース部２０１に押し付けられることで押し広げられ、それぞれが固定接点部２０７ａ、２０７ｂと接触する。これにより、固定接点部２０７ａ、２０７ｂ間が導通状態とされ、第１カードＡの検出信号が外部出力されるものとなっている。
【００３１】
このように第１カードＡの装着を検出する検出手段を、ベース部２０１に設けた固定接点２０７と、押下げ部材２０６に保持した可動接点ばね２０６ｆとで構成している。そして、この検出手段は、第１カードＡの挿入に伴って操作されるように構成されていることから、第１カードＡの装着と連動して確実に第１カードＡの装着を検出できるものとなっている。
【００３２】
次に、上記構成を有するコネクタ１に第１カードＡ及び第２カードＢを装着する際の動作について説明する。図８及び図９は、本実施の形態に係るコネクタ１の側断面図である。図８は、コネクタ１に第１カードＡを装着する際の動作を説明するものである。図８（ａ）においては、第１カードＡを装着する過程の状態を示し、同図（ｂ）においては、第１カードＡを装着した状態を示している。また、図９は、コネクタ２に第２カードＢを装着する際の動作を説明するものである。図９（ａ）においては、第２カードＢを装着する過程の状態を示し、同図（ｂ）においては、第２カードＢを装着した状態を示している。
【００３３】
図８（ａ）に示すように、ハウジング２内に第１カードＡが挿入されると、第１カードＡは、ベース部２０１の上を後方側に進んでいく。そして、第１カードＡの先端部が押下げ部材２０６の位置に到達すると、その仕切壁１０３が押下げ部材２０６の当接部２０６ｂと当接する。この状態で更に第１カードＡが後方側に挿入されると、図８（ｂ）に示すように、これに伴って押下げ部材２０６が回動し、その下面でコンタクト端子２０５を押し下げる。このとき、コンタクト端子２０４には、当接部２０６ｂが当接することはないため、これにより押下げられることはなく、第１カードＡの接触部１０１に弾接することとなる。
【００３４】
この場合において、当接部２０６ｂは、第１カードＡの仕切壁１０３の幅方向の寸法より大きい寸法を有していることから、当接部２０６ｂによりコンタクト端子２０５を確実に押下げることができるようになっている。これにより、仕切壁１０３でコンタクト端子２０５を押下げる場合に発生し得るコンタクト端子２０５の損傷を効果的に防止することが可能となっている。
【００３５】
また、押下げ部材２０６の下面には、コンタクト端子２０５の一部を収容する溝部２０６ｄが設けられていることから、コンタクト端子２０５の位置ずれを防止して確実にコンタクト端子２０５を押下げることができるようになっている。さらに、押下げ部材２０６の当接部２０６ｂには、第１カードＡの仕切壁１０３の斜面部１０４に対応する斜面部２０６ｅが設けられていることから、斜面部１０４と斜面部２０６ｅとの当接により確実且つ簡単に押下げ部材２０６を押下げることができるようになっている。
【００３６】
一方、図９（ａ）に示すように、ハウジング２内に第２カードＢが挿入されると、第１カードＡと同様に、第２カードＢは、ベース部２０１の上を後方側に進んでいく。そして、第２カードＢの先端部が押下げ部材２０６の位置に到達した場合においても、その当接部２０６ｂに対応する位置には仕切壁１０３が設けられていないことから、第２カードＢの仕切壁１０３が当接部２０６ｂに当接することはない。このため、この状態で更に第２カードＢが後方側に挿入されると、図９（ｂ）に示すように、これに伴って押下げ部材２０６が僅かに回動した状態で、コンタクト端子２０４が第２カードＢの接触部１０１に弾接すると共に、コンタクト端子２０５が第２カードＢの接触部１０５に弾接することとなる。
【００３７】
この場合において、接触部１０５は、第２カードＢの挿入方向に沿って接触部１０１と略同一の長さに設けている。上述した従来のカード用コネクタのように、新たな接触部が既存の接触部の途中から形成される場合には、カードの挿入時にカードの既存の接触部と新たな接触部用のコンタクト端子との不要な接触が発生し得るため、当該接触への対応が必要となる。しかしながら、本実施の形態に係るコネクタ１のように接触部１０５を、第２カードＢの挿入方向に沿って接触部１０１と略同一の長さに設ける場合には、このようなコンタクト端子との不要な接触を回避することができるので、当該接触への対応が必要なく、より簡易な構成でコネクタ１を実現することが可能となる。
【００３８】
このように本実施の形態に係るコネクタ１においては、第２カードＢの接触部１０５に対応するコンタクト端子２０５を押し下げる押下げ部材２０６を備え、第１カードＡの装着時に押下げ部材２０６の当接部２０６ｂが第１カードＡの仕切壁１０３に当接することでコンタクト端子２０５を確実に押下げられるようにしたことから、仕切壁１０３に対応する領域に新たな接触部１０５が設けられた第２カードＢの装着に対応しつつ、当該接触部１０５が設けられていない第１カードＡが挿入された場合にも、新たな接触部１０５用のコンタクト端子２０５が損傷するのを防止することが可能となる。
【００３９】
なお、本発明は上記実施の形態に限定されず、種々変更して実施することが可能である。上記実施の形態において、添付図面に図示されている大きさや形状などについては、これに限定されず、本発明の効果を発揮する範囲内で適宜変更することが可能である。その他、本発明の目的の範囲を逸脱しない限りにおいて適宜変更して実施することが可能である。
【図１】
2010010808.tif 000003
【図２】
2010010808.tif 000004
【図３】
2010010808.tif 000005
【図４】
2010010808.tif 000006
【図５】
2010010808.tif 000007
【図６】
2010010808.tif 000008
【図７】
2010010808.tif 000009
【図８】
2010010808.tif 000010
【図９】
2010010808.tif 000011
【手続補正書】
【提出日】平成22年12月17日(2010.12.17)
【手続補正１】
【補正対象書類名】特許請求の範囲
【補正対象項目名】全文
【補正方法】変更
【補正の内容】
【特許請求の範囲】
【請求項１】
複数の接触部と当該複数の接触部間に仕切壁とを有する第１カード及び装着完了時に、前記第１カードの装着完了時に当該第１カードの仕切壁が配置される領域にも接触部を有する第２カードを選択的に装着可能なハウジングと、前記第１カードの接触部に対応する第１コンタクト端子と、前記第２カードの接触部に対応する第２コンタクト端子と、前記第２コンタクト端子を押し下げる押下げ部材とを備え、
前記押下げ部材は、前記第１カードの仕切壁と当接する当接部を備え、前記第１カードの装着時に前記押下げ部材の当接部と前記第１カードの仕切壁とが当接することで前記第２コンタクト端子が押下げられることを特徴とするカード用コネクタ。
【請求項２】
前記押下げ部材の当接部は、前記第１カードの仕切壁の幅方向の寸法よりも大きい寸法を有することを特徴とする請求項１記載のカード用コネクタ。
【請求項３】
前記押下げ部材に前記第２コンタクト端子の一部を収容する溝部を設けたことを特徴とする請求項１又は請求項２記載のカード用コネクタ。
【請求項４】
前記第１カードの仕切壁には斜面部が設けられ、前記押下げ部材の当接部には前記第１カードの仕切壁の斜面部に対応する斜面部が設けられることを特徴とする請求項１又は請求項２記載のカード用コネクタ。
【請求項５】
前記第１カードの装着を検出する検出手段を備え、前記検出手段は、前記押下げ部材により操作されるように配設されていることを特徴とする請求項１又は請求項２記載のカード用コネクタ。
【請求項６】
前記第２カードの接触部は、前記カードの前端側から後端側にかけて前記第１カードの接触部と略同一の長さで並設されていることを特徴とする請求項１又は請求項２記載のカード用コネクタ。
【請求項７】
前記押下げ部材は、前記溝部に一部が収容された前記第２コンタクト端子により下方側から支持されていることを特徴とする請求項３記載のカード用コネクタ。
【請求項８】
前記押下げ部材は、軸部を有し、
前記軸部を支点として前記ハウジングに揺動可能に支持されていることを特徴とする請求項１又は請求項２記載のカード用コネクタ。
【手続補正２】
【補正対象書類名】明細書
【補正対象項目名】００１２
【補正方法】変更
【補正の内容】
【００１２】
さらに、上記カード用コネクタにおいては、前記第２カードの接触部は、前記カードの前端側から後端側にかけて前記第１カードの接触部と略同一の長さで並設されていることが好ましい。上述した従来のカード用コネクタのように、第２カードの接触部が第１カードの接触部の途中から形成される場合には、カードの挿入時に不要な接触が発生し得るため、当該接触への対応が必要となる。このように第２カードの接触部を、カードの前端側から後端側にかけて第１カードの接触部と略同一の長さで形成する場合には、このような不要な接触を回避することができるので、当該接触への対応が必要なく、より簡易な構成でカード用コネクタを実現することが可能となる。
さらに、上記カード用コネクタにおいては、前記押下げ部材は、前記溝部に一部が収容された前記第２コンタクト端子により下方側から支持されていることが好ましい。この場合には、溝部に一部を収容した第２コンタクト端子により押下げ部材を下方側から支持することから、当接部がカードと当接するような配置とすることができる。
さらに、上記カード用コネクタにおいては、前記押下げ部材は、軸部を有し、前記軸部を支点として前記ハウジングに揺動可能に支持されていることが好ましい。この場合には、軸部を回動支点としてハウジングに揺動可能に支持することから、簡易な構成で押下げ部材を一定範囲で揺動可能とすることができる。
【国際調査報告】
2010010808.tif 000012
2010010808.tif 000013
2010010808.tif 000014